(57)【要約】      （修正有）【課題】物理的に接触することによってセンシングするスイッチを用いてカバーの開閉を検知することができるカバー開閉検知装置を提供すること。【解決手段】カバー開閉検知装置１００Ｒは、カバーの第１押圧部と係合するラッチ装置６０と、カバーの第２押圧部３８に押圧されるスイッチ装置８０とを備え、スイッチ装置８０は、ベースプレート８２に移動可能に支持された移動プレート８４と、移動プレート８４の移動を規制するストッパ８６と、移動プレート８４を付勢する第２弾性体８８と、第２押圧部３８から力を受けて移動する当接部材９０と、当接部材９０を付勢する第３弾性体９２と、移動プレート８４と接触してカバーの閉状態を検知し、移動プレート８４と非接触のときにカバーの開状態を検知するスイッチ９４と、を備え、第２弾性体８８は、第３弾性体９２より先に変形し始める。【選択図】図４
2017094530.tif 000002
【特許請求の範囲】
【請求項１】
筐体に対して開閉可能に設けられたカバーの開閉状態を検知するカバー開閉検知装置であって、
前記カバーは、前記カバーの裏面から突出する第１押圧部と、前記第１押圧部の側方に配置され、前記カバーの裏面から突出する第２押圧部と、を有し、
前記第１押圧部と係合するラッチ装置と、
前記ラッチ装置の側方に配置され、前記第２押圧部に押圧されるスイッチ装置と、を備え、
前記ラッチ装置は、
前記第１押圧部と係合する係合部を有し、前記第１押圧部と接触可能に配置され、係合解除位置である第１位置と最大移動位置である第２位置との間で移動可能なラッチ本体と、
前記ラッチ本体を、前記第２位置から前記１位置に向かって付勢する第１弾性体と、
前記ラッチ本体に形成された溝に沿って移動し、前記第１位置と前記第２位置との間に位置する係合位置である第３位置に、前記ラッチ本体を係止させる係止レバーと、
前記ラッチ本体と、前記第１弾性体と、前記係止レバーとを収容するハウジングと、を備え、
前記スイッチ装置は、
ベースプレートと、
前記ベースプレートに移動可能に支持され、前記第２押圧部から力を受けて移動する移動プレートと、
前記ベースプレートに設けられ、前記移動プレートが所定の第４位置から移動すると前記移動プレートと接触して前記移動プレートの移動を規制するストッパと、
前記ベースプレートに設けられ、前記ストッパに移動を規制される第５位置から前記第４位置に向かって前記移動プレートを付勢する第２弾性体と、
前記移動プレートに移動可能に設けられ、前記移動プレートが前記第５位置に位置するときに、前記第２押圧部から力を受けて所定の第６位置と前記第６位置よりも前記移動プレート側に位置する第７位置との間を移動する当接部材と、
前記移動プレートに設けられ、前記当接部材を、前記第７位置から第６位置に向かって付勢する第３弾性体と、
前記移動プレートが前記第５位置に位置するときに前記移動プレートと接触してオン状態となり前記カバーの閉状態を検知し、かつ、前記移動プレートと非接触のときにオフ状態となり前記カバーの開状態を検知するスイッチと、を備え、
前記第２押圧部からの力が前記第２弾性体および前記第３弾性体に加わるとき、前記第２弾性体は、前記第３弾性体より先に変形し始め、
前記第１押圧部と前記係合部とが係合しているとき、前記移動プレートは前記第５位置に位置する、カバー開閉検知装置。
【請求項２】
前記スイッチ装置は、前記移動プレートを回動可能に支持する第１支軸を備えている、請求項１に記載のカバー開閉検知装置。
【請求項３】
前記スイッチ装置は、前記当接部材の裏面から突出し、前記第３弾性体が取り付けられた軸と、前記移動プレートに形成され、前記軸の一部が挿入された挿入孔とを備えている、請求項１または２に記載のカバー開閉検知装置。
【請求項４】
前記第１押圧部および前記第２押圧部は、水平方向に延びる、請求項１から３のいずれか一項に記載のカバー開閉検知装置。
【請求項５】
前記係合部は、第１アームと第２アームとを備え、
前記第１アームおよび前記第２アームが前記第１押圧部を挟持することによって、前記第１押圧部と前記係合部とが係合する、請求項１から４のいずれか一項に記載のカバー開閉検知装置。
【請求項６】
前記筐体と、
前記筐体に設けられ、前記カバーを回動可能に支持する第２支軸と、
前記筐体に設けられたインクジェットヘッドと、
請求項１から５のいずれか一項に記載のカバー開閉検知装置と、を備えたインクジェットプリンタ。
【発明の詳細な説明】
【技術分野】
【０００１】
本発明は、カバー開閉検知装置に関する。
【背景技術】
【０００２】
従来から、筐体と、筐体に対して開閉可能に設けられたカバーと、筐体の内部に配置されたインクジェットヘッド等とを備えたプリンタが知られている。かかるプリンタでは、筐体の正面等に設けられたカバーを開いて、筐体内部の点検や部品の交換等のメンテナンスを行っている。一般に、カバーの裏面には係合部が設けられており、係合部と筐体に設けられたロック機構とが係合することによって、カバーが閉じられる。メンテナンス中に誤ってプリンタが作動することを防止するため、プリンタには、カバーの開閉状態を検知するカバー開閉検知装置が設けられている。この種のカバー開閉検知装置を備えたプリンタでは、カバーが開いていることが検知されると、プリンタの電源がオフになる構成となっている。
【０００３】
カバー開閉検知装置として、例えば、光学式センサを用いたものが知られている。かかる装置では、カバーが閉じた状態のときにカバーの裏面に設けられた突起部が光学式センサによって所定の位置に存在するか否かが判断されていた。即ち、突起部が光学式センサによって検知されたとき、カバーは閉じていると判断され、プリンタは作動可能の状態となる。一方、突起部が光学式センサによって検知されないとき、カバーは開いていると判断され、プリンタは作動しない状態となる。
【発明の概要】
【発明が解決しようとする課題】
【０００４】
ところで、カバー開閉検知装置として光学式センサを用いる場合、光学式センサの故障や誤作動によってカバーが開いているにも関わらず、カバーが閉じていると判断され、プリンタが作動可能な状態になる虞がある。このため、インターロックの観点から、より安全性の高い機械式接点センサ、即ち物理的に接触することによってセンシングするスイッチを用いたカバー開閉検知装置が望まれている。しかしながら、例えば、係合部をロック機構に対してさらに押し込むことによって係合部とロック機構との係合を解除するような構造の場合、係合部を押し込もうとすると、機械式接点センサがカバーの裏面に設けられた突起部と干渉してしまう。このため、かかる構成では、機械式接点センサを用いることができなかった。
【０００５】
本発明はかかる点に鑑みてなされたものであり、その目的は、物理的に接触することによってセンシングするスイッチを用いてカバーの開閉を検知することができるカバー開閉検知装置を提供することである。
【課題を解決するための手段】
【０００６】
本発明に係るカバー開閉検知装置は、筐体に対して開閉可能に設けられたカバーの開閉状態を検知するカバー開閉検知装置であって、前記カバーは、前記カバーの裏面から突出する第１押圧部と、前記第１押圧部の側方に配置され、前記カバーの裏面から突出する第２押圧部と、を有し、前記第１押圧部と係合するラッチ装置と、前記ラッチ装置の側方に配置され、前記第２押圧部に押圧されるスイッチ装置と、を備え、前記ラッチ装置は、前記第１押圧部と係合する係合部を有し、前記第１押圧部と接触可能に配置され、係合解除位置である第１位置と最大移動位置である第２位置との間で移動可能なラッチ本体と、前記ラッチ本体を、前記第２位置から前記１位置に向かって付勢する第１弾性体と、前記ラッチ本体に形成された溝に沿って移動し、前記第１位置と前記第２位置との間に位置する係合位置である第３位置に、前記ラッチ本体を係止させる係止レバーと、前記ラッチ本体と、前記第１弾性体と、前記係止レバーとを収容するハウジングと、を備え、前記スイッチ装置は、ベースプレートと、前記ベースプレートに移動可能に支持され、前記第２押圧部から力を受けて移動する移動プレートと、前記ベースプレートに設けられ、前記移動プレートが所定の第４位置から移動すると前記移動プレートと接触して前記移動プレートの移動を規制するストッパと、前記ベースプレートに設けられ、前記ストッパに移動を規制される第５位置から前記第４位置に向かって前記移動プレートを付勢する第２弾性体と、前記移動プレートに移動可能に設けられ、前記移動プレートが前記第５位置に位置するときに、前記第２押圧部から力を受けて所定の第６位置と前記第６位置よりも前記移動プレート側に位置する第７位置との間を移動する当接部材と、前記移動プレートに設けられ、前記当接部材を、前記第７位置から第６位置に向かって付勢する第３弾性体と、前記移動プレートが前記第５位置に位置するときに前記移動プレートと接触してオン状態となり前記カバーの閉状態を検知し、かつ、前記移動プレートと非接触のときにオフ状態となり前記カバーの開状態を検知するスイッチと、を備え、前記第２押圧部からの力が前記第２弾性体および前記第３弾性体に加わるとき、前記第２弾性体は、前記第３弾性体より先に変形し始め、前記第１押圧部と前記係合部とが係合しているとき、前記移動プレートは前記第５位置に位置する。
【０００７】
本発明のカバー開閉検知装置では、当接部材および移動プレートは、第２押圧部からの力を受けて移動する。ここで、第５位置から第４位置に向かって移動プレートを付勢する第２弾性体は、第７位置から第６位置に向かって当接部材を付勢する第３弾性体より先に変形し始める。このため、第２押圧部からの力を受けて、先ず移動プレートが第４位置から第５位置に移動する。移動プレートが第５位置に移動すると、移動プレートはスイッチと接触するため、スイッチはオン状態となりカバーの閉状態を検知することができる。このとき、第１押圧部は係合部と係合するため、カバーはラッチ装置に固定されることになる。一方、カバーとラッチ装置との固定を解除するときには、第１押圧部によってラッチ本体を第３位置から第２位置まで移動させる必要がある。このとき、移動プレートには第２押圧部からの力が更に加わるが、移動プレートはストッパによってその移動が規制されているため、移動プレートは移動しない。このため、スイッチに過剰な力が加わることを防止することができる。さらに、移動プレートの代わりに、当接部材が第６位置から第７位置に向けて移動するため、ラッチ本体を第３位置から第２位置まで移動させることができ、第１押圧部と係合部との係合を解除することができる。即ち、カバーを開くことができる。このとき、移動プレートはスイッチと非接触となるため、スイッチはオフ状態となりカバーの開状態を検知することができる。
【発明の効果】
【０００８】
本発明によれば、物理的に接触することによってセンシングするスイッチを用いてカバーの開閉を検知することができるカバー開閉検知装置を提供することができる。
【図面の簡単な説明】
【０００９】
【図１】一実施形態に係るインクジェットプリンタを示す斜視図である。
【図２】一実施形態に係るインクジェットプリンタの一部を示す断面図である。
【図３】カバーが開いた状態におけるカバー開閉検知装置の平面図である。
【図４】カバーが開いた状態におけるカバー開閉検知装置の側面図である。
【図５】カバーが閉じた状態におけるカバー開閉検知装置の平面図である。
【図６】カバーが閉じた状態におけるカバー開閉検知装置の側面図である。
【図７】カバーが閉じた状態からさらにカバーを押し込んだ状態におけるカバー開閉検知装置の平面図である。
【図８】カバーが閉じた状態からさらにカバーを押し込んだ状態におけるカバー開閉検知装置の側面図である。
【発明を実施するための形態】
【００１０】
以下、図面を参照しながら、本発明の実施形態に係るカバー開閉検知装置について説明する。以下の説明では、カバー開閉検知装置を備えたインクジェットプリンタを例に説明するが、本発明の適用対象をインクジェットプリンタに限定することを意図したものではない。また、同じ作用を奏する部材・部位には同じ符号を付し、重複する説明は適宜省略または簡略化する。
【００１１】
図１は、本実施形態に係るインクジェットプリンタ１０を示す斜視図である。図１に示すように、インクジェットプリンタ１０は、記録媒体１２に印刷を行う。記録媒体１２は、例えば、記録紙である。ただし、記録媒体１２は、記録紙に限定されない。例えば、記録媒体１２は、シート状のメディア、例えば、樹脂製のシートなどであってもよい。
【００１２】
以下の説明では、左、右、上、下とは、インクジェットプリンタ１０の正面にいる作業者から見た左、右、上、下をそれぞれ意味することとする。また、インクジェットプリンタ１０から上記作業者に近づく方を前方、遠ざかる方を後方とする。図面中の符号Ｆ、Ｒｒ、Ｌ、Ｒ、Ｕ、Ｄは、それぞれ前、後、左、右、上、下を表す。後述するインクヘッドユニット２０は左方および右方に移動可能である。記録媒体１２は、前方および後方に搬送可能である。
【００１３】
図１に示すように、インクジェットプリンタ１０は、本体部３０と、右側方部３２Ｒと、左側方部３２Ｌと、プラテン１５と、右脚部１６Ｒと、左脚部１６Ｌと、インクヘッドユニット２０と、を備えている。本体部３０は、左右方向に延びる。本体部３０の右方には、右側方部３２Ｒが配置されている。本体部３０の左方には、左側方部３２Ｌが配置されている。本体部３０の前部には、プラテン１５が設けられている。右脚部１６Ｒおよび左脚部１６Ｌは、本体部３０の下部に取り付けられている。
【００１４】
プラテン１５には、記録媒体１２が配置される。プラテン１５は、記録媒体１２を支持する。プラテン１５は、左右方向に延びる。
【００１５】
インクヘッドユニット２０は、本体部３０の内方に配置されている。インクヘッドユニット２０は、プラテン１５の上方に配置されている。図２に示すように、インクヘッドユニット２０は、キャリッジ２１と、ヘッドプレート２２と、記録ヘッド２３と、ヘッドケース２４と、を備えている。キャリッジ２１は、図示しないレールに摺動自在に係合している。インクヘッドユニット２０は、キャリッジ２１がレールに沿って左右方向に移動する間に、記録ヘッド２３から記録媒体１２にインクを吐出するように構成されている。ヘッドプレート２２は、キャリッジ２１に支持されている。ヘッドプレート２２には、記録ヘッド２３が取り付けられる。ヘッドケース２４は、ヘッドプレート２２に取り付けられる。ヘッドケース２４は、記録ヘッド２３を覆うように配置される。
【００１６】
図２に示すように、インクジェットプリンタ１０は、クリーニング機構２８を備えている。クリーニング機構２８は、右側方部３２Ｒの内方に配置されている。クリーニング機構２８は、インクヘッドユニット２０が右側方部３２Ｒ内に配置されるとき、インクヘッドユニット２０の下方に位置する。インクジェットプリンタ１０は、クリーニング機構２８として、例えば、キャッピング装置、ワイピング装置やフラッシング装置を備えている。キャッピング装置は、記録ヘッド２３のノズル内のインクを吸引することによって、ノズルの目詰まりを解消する装置である。ワイピング装置は、記録ヘッド２３のノズル面をワイピングする装置である。フラッシング装置は、記録ヘッド２３のノズルから一定量のインクを吐出させる装置である。
【００１７】
図１に示すように、インクジェットプリンタ１０は、右フロントカバー３４Ｒと、左フロントカバー３４Ｌとを備えている。右フロントカバー３４Ｒは、右側方部３２Ｒの前部に設けられている。右フロントカバー３４Ｒは、右側方部３２Ｒに設けられた開口３３Ｒ（図２参照）を覆うように設けられている。右フロントカバー３４Ｒは、右側方部３２Ｒの前端を中心に回動可能に構成されている。右フロントカバー３４Ｒは、支軸３５Ｈ（図２参照）を中心に回動可能である。左フロントカバー３４Ｌは、左側方部３２Ｌの前部に設けられている。左フロントカバー３４Ｌは、左側方部３２Ｌに設けられた開口（図示せず）を覆うように設けられている。左フロントカバー３４Ｌは、左側方部３２Ｌの前端を中心に回動可能に構成されている。左フロントカバー３４Ｌは、支軸（図示せず）を中心に回動可能である。作業者が、右フロントカバー３４Ｒの下部を押すことによって、右フロントカバー３４Ｒが開閉し、左フロントカバー３４Ｌの下部を押すことによって、左フロントカバー３４Ｌが開閉する。作業者は、右フロントカバー３４Ｒを開けて、右側方部３２Ｒ内に配置された部品等のメンテナンスを行い、左フロントカバー３４Ｌを開けて、左側方部３２Ｌ内に配置された部品等のメンテナンスを行う。
【００１８】
図１に示すように、インクジェットプリンタ１０は、右ロック機構５０Ｒと、左ロック機構５０Ｌとを備えている。右ロック機構５０Ｒは、右側方部３２Ｒの内方に配置されている。右ロック機構５０Ｒは、右フロントカバー３４Ｒの後方に配置されている。左ロック機構５０Ｌは、左側方部３２Ｌの内方に配置されている。左ロック機構５０Ｌは、左フロントカバー３４Ｌの後方に配置されている。インクジェットプリンタ１０は、右カバー開閉検知装置１００Ｒと、左カバー開閉検知装置１００Ｌとを備えている。右ロック機構５０Ｒと右フロントカバー３４Ｒとによって、右カバー開閉検知装置１００Ｒが構成されている。左ロック機構５０Ｌと左フロントカバー３４Ｌとによって、左カバー開閉検知装置１００Ｌが構成されている。右カバー開閉検知装置１００Ｒは、右フロントカバー３４Ｒの開閉状態を検知する。左カバー開閉検知装置１００Ｌは、左フロントカバー３４Ｌの開閉状態を検知する。本実施形態では、右カバー開閉検知装置１００Ｒと左カバー開閉検知装置１００Ｌとは同様の構造であるが、かかる形態に限定されない。以下、右カバー開閉検知装置１００Ｒの構造を説明し、左カバー開閉検知装置１００Ｌの構造の説明は省略する。
【００１９】
図３に示すように、右フロントカバー３４Ｒは、第１押圧部３６と、第２押圧部３８とを備えている。第１押圧部３６は、右フロントカバー３４Ｒの裏面３５Ｒから後方に向けて突出する。第１押圧部３６は、後述のラッチ装置６０に向けて突出する。第１押圧部３６は、水平方向に延びる。第１押圧部３６は、前後方向に延びる。第１押圧部３６は、球状に形成された第１部分３７Ａと、棒状に形成された第２部分３７Ｂとを備えている。第２部分３７Ｂは、第１部分３７Ａと右フロントカバー３４Ｒとの間に配置されている。第２押圧部３８は、右フロントカバー３４Ｒの裏面３５Ｒから後方に向けて突出する。第２押圧部３８は、後述のスイッチ装置８０に向けて突出する。第２押圧部３８は、水平方向に延びる。第２押圧部３８は、前後方向に延びる。第２押圧部３８は、第１押圧部３６の側方に配置されている。第２押圧部３８は、第１押圧部３６の右方に配置されている。第２押圧部３８の後端３８Ａは、第１押圧部３６の後端３６Ａより後方に位置する。第２押圧部３８は、平面視で、Ｌ字形状に形成されている。本実施形態では、第２押圧部３８は、第１押圧部３６と別体に形成されているが、第２押圧部３８と第１押圧部３６とは一体に形成されていてもよい。
【００２０】
図３に示すように、右ロック機構５０Ｒは、ラッチ装置６０とスイッチ装置８０とを備えている。ラッチ装置６０は、第１押圧部３６と係合する。スイッチ装置８０は、第２押圧部３８に押圧される。ラッチ装置６０は、スイッチ装置８０の側方に配置されている。ラッチ装置６０は、スイッチ装置８０の左方に配置されている。
【００２１】
図３に示すように、ラッチ装置６０は、ハウジング６２と、ラッチ本体６４と、第１弾性体６６と、係止レバー６８とを備えている。ラッチ本体６４と、第１弾性体６６と、係止レバー６８は、ハウジング６２に収容されている。
【００２２】
ラッチ本体６４は、略直方体形状に形成された本体部６３を備えている。ラッチ本体６４は、第１押圧部３６と接触可能に配置されている。ラッチ本体６４は、第１押圧部３６と係合する係合部６５を備えている。係合部６５は、本体部６３の前部に設けられている。ラッチ本体６４は、第１位置Ｌ１（図３参照）と第２位置Ｌ２（図７参照）との間で移動可能に構成されている。ラッチ本体６４は、前後方向に移動可能に構成されている。第１位置Ｌ１とは、図３に示すように、第１押圧部３６と係合部６５との係合が解除された位置である係合解除位置である。即ち、第１位置Ｌ１とは、ラッチ本体６４がハウジング６２に対して最も前方に配置される位置である。また、第２位置Ｌ２とは、図７に示すように、ラッチ本体６４がハウジング６２の最も奥に移動したときの最大移動位置である。即ち、第２位置Ｌ２とは、ラッチ本体６４がハウジング６２に対して最も後方に配置される位置である。
【００２３】
第１弾性体６６は、ラッチ本体６４とハウジング６２との間に配置されている。第１弾性体６６は、ラッチ本体６４を第２位置Ｌ２（図７参照）から第１位置Ｌ１（図３参照）に向かって付勢する。第１弾性体６６は、ラッチ本体６４を後方から前方に向かって付勢する。第１弾性体６６は、ラッチ本体６４を右フロントカバー３４Ｒに向かって付勢する。第１弾性体６６は、例えば、圧縮コイルばねである。
【００２４】
図３に示すように、係合部６５は、第１アーム６５Ａと第２アーム６５Ｂとを備えている。第１アーム６５Ａと第２アーム６５Ｂとは、それぞれの先端同士の距離が変更可能に構成されている。第１押圧部３６と係合部６５とが係合していないときは、第１アーム６５Ａおよび第２アーム６５Ｂは、前方に行くほど相互の距離が大きくなるように配置されている。このとき、第１アーム６５Ａの先端と第２アーム６５Ｂの先端との距離は、最も大きい。図５に示すように、ラッチ本体６４が第１押圧部３６に押されて、ハウジング６２の内方に向かって移動すると、第１アーム６５Ａおよび第２アーム６５Ｂは、ハウジング６２の内部に設けられた図示しないガイド壁に案内され、相互の距離が小さくなる。そして、第１アーム６５Ａと第２アーム６５Ｂとが第１押圧部３６の第１部分３７を挟持する。これにより、第１押圧部３６と係合部６５とが係合する。このとき、第１アーム６５Ａの先端と第２アーム６５Ｂの先端との距離は、最も小さい。
【００２５】
ラッチ本体６４には、循環溝６４Ａが形成されている。循環溝６４Ａには、突状に形成された突起部６４Ｂが設けられている。突起部６４Ｂには、係止レバー６８の先端が係止する凹部６４Ｃが形成されている。係止レバー６８は、循環溝６４Ａに沿って移動する。係止レバー６８は、ハウジング６２に取り付けられている。図３に示すように、第１押圧部３６と係合部６５とが係合していないとき、即ちラッチ本体６４が第１位置Ｌ１に位置するときには、係止レバー６８は、突起部６４Ｂの凹部６４Ｃに係止していない。図５に示すように、第１押圧部３６によってラッチ本体６４がハウジング６２内の所定の位置まで押し込まれると、係止レバー６８は循環溝６４Ａに沿って移動し、凹部６４Ｃに係止する。これにより、ラッチ本体６４がハウジング６２に対して固定される。このとき、第１押圧部３６と係合部６５とが係合し、右フロントカバー３４Ｒとラッチ装置６０とが固定され、右フロントカバー３４Ｒが閉じられる。第１押圧部３６と係合部６５とが係合しているときのラッチ本体６４の位置が係合位置（第３位置Ｌ３）である。係止レバー６８が凹部６４Ｃに係止することによって、ラッチ本体６４を第３位置Ｌ３に係止させることができる。即ち、ラッチ本体６４を前方（右フロントカバー３４Ｒの方向）に移動させることを規制する。図７に示すように、第１押圧部３６によってラッチ本体６４がハウジング６２内にさらに押し込まれると、係止レバー６８は循環溝６４Ａに沿って移動し、係止レバー６８は凹部６４Ｃに係止しなくなる。このとき、第１弾性体６６は、ラッチ本体６４を第２位置Ｌ２から第１位置Ｌ１に向かって付勢するため、ラッチ本体６４が第１位置Ｌ１に向かって移動し、第１押圧部３６と係合部６５との係合が解除される。これにより、右フロントカバー３４Ｒとラッチ装置６０との固定が解除され、右フロントカバー３４Ｒを開くことができる。
【００２６】
図３に示すように、スイッチ装置８０は、ベースプレート８２と、移動プレート８４と、ストッパ８６と、第２弾性体８８と、当接部材９０と、第３弾性体９２と、スイッチ９４とを備えている。
【００２７】
図３に示すように、ベースプレート８２は、第１ベース８２Ａと、第２ベース８２Ｂと、第３ベース８２Ｃと、第４ベース８２Ｄと、を備えている。第１ベース８２Ａは、左右方向に延びる。第１ベース８２Ａは、右側方部３２Ｒに固定される。第２ベース８２Ｂは、第１ベース８２Ａの左部の下端から前方に延びる。第２ベース８２Ｂには、ラッチ装置６０が配置される。第３ベース８２Ｃは、第１ベース８２Ａの右端の上部から前方に延びる。第３ベース８２Ｃには、開口８２ＣＡ（図４参照）と、切り欠き溝８２ＣＢ（図４参照）が形成されている。第４ベース８２Ｄは、第１ベース８２Ａの右部の下端から前方に延びる。第４ベース８２Ｄには、スイッチ９４が配置される。第４ベース８２Ｄは、第２ベース８２Ｂより下方に位置する。
【００２８】
図３に示すように、移動プレート８４は、第３ベース８２Ｃに移動可能に設けられている。移動プレート８４は、第３ベース８２Ｃに設けられた支軸８３に回動可能に支持されている。移動プレート８４は、第２押圧部３８から力（荷重）を受けて支軸８３を中心に回動する。移動プレート８４には、後述する軸９１が挿入される挿入孔８４ＢＨが形成されている。図４に示すように、移動プレート８４には、第２弾性体８８の一端を係止する挿入孔８４ＡＣが形成されている。
【００２９】
図４に示すように、ストッパ８６は、第４ベース８２Ｄに設けられている。ストッパ８６は、移動プレート８４が右フロントカバー３４Ｒから離れる方向に第４位置Ｌ４から移動すると移動プレート８４と接触して移動プレート８４の移動を規制する。なお、第４位置Ｌ４とは、移動プレート８４に対して第２押圧部３８および第２弾性体８８からの力が加わっていないときの移動プレート８４の位置である。
【００３０】
図４に示すように、第２弾性体８８は、第３ベース８２Ｃの開口８２ＣＡに設けられている。第２弾性体８８の一端は、移動プレート８４に形成された挿入孔８４ＡＣに係止し、他端は、第３ベース８２Ｃに形成された切り欠き溝８２ＣＢに係止している。移動プレート８４が第４位置Ｌ４から第５位置Ｌ５（図６参照）に移動すると、第２弾性体８８には引っ張り力が発生する。即ち、第２弾性体８８は、移動プレート８４を第５位置Ｌ５から第４位置Ｌ４に向かって付勢する。なお、第５位置Ｌ５とは、移動プレート８４がストッパ８６と接触しているときの移動プレート８４の位置である。第２弾性体８８は、例えば、引張コイルばねである。
【００３１】
図３に示すように、当接部材９０は、移動プレート８４に移動可能に設けられている。当接部材９０は、移動プレート８４より前方に配置されている。当接部材９０は、第２押圧部３８と接触可能に配置されている。当接部材９０には前後方向に延びる軸９１が設けられている。軸９１は、当接部材９０の裏面９０Ａ（図４参照）から突出する。軸９１の一部は、挿入孔８４ＢＨに挿入されている。当接部材９０は、移動プレート８４が第５位置Ｌ５に位置するときに、第２押圧部３８から力を受けて所定の第６位置Ｌ６と第６位置Ｌ６よりも移動プレート８４側に位置する第７位置Ｌ７との間を移動する。なお、第６位置Ｌ６とは、第３弾性体９２が圧縮されていないときの当接部材９０の位置である。当接部材９０の移動量は、第１押圧部３６が第３位置Ｌ３から第２位置Ｌ２に移動するときの移動量と同じである。
【００３２】
図４に示すように、第３弾性体９２は、移動プレート８４に設けられている。第３弾性体９２は、当接部材９０と移動プレート８４との間に配置されている。第３弾性体９２は、軸９１に取り付けられている。第３弾性体９２は、当接部材９０を第７位置Ｌ７から第６位置Ｌ６に向かって付勢する。第３弾性体９２は、例えば、圧縮コイルばねである。第２押圧部３８からの力は、当接部材９０を介して第２弾性体８８および第３弾性体９２に加わる。ここで、第２押圧部３８からの力が加わったとき、第２弾性体８８は、第３弾性体９２より先に変形し始める。即ち、第２押圧部３８が当接部材９０を押すことによって、先ず第２弾性体８８が伸び、その後第３弾性体９２が縮む。
【００３３】
図４に示すように、スイッチ９４は、当接部材９０および軸９１より下方に配置されている。スイッチ９４は、ラッチ装置６０より下方に配置されている。図８に示すように、当接部材９０が第７位置Ｌ７に位置するとき、軸９１とスイッチ９４とは干渉しない。図３に示すように、スイッチ９４は、ケース９４Ａと、ボタン９４Ｂと、板ばね９４Ｃとを備えている。ボタン９４Ｂは、通常時はケース９４Ａから突出するように配置されている。ボタン９４Ｂは、通常時は、ストッパ８６より前方に位置する。このとき、スイッチ９４はオフ状態である。ボタン９４Ｂは、板ばね９４Ｃに押されることによってケース９４Ａ内に収容される。これにより、スイッチ９４はオン状態となる。板ばね９４Ｃは、鋭角に折れ曲がるように形成されている。スイッチ９４は、移動プレート８４が第５位置Ｌ５に位置するときに移動プレート８４と接触してオン状態となり右フロントカバー３４Ｒの閉状態を検知する。即ち、移動プレート８４が第５位置Ｌ５に位置するとき、移動プレート８４が板ばね９４Ｃを押すことによってボタン９４Ｂが押される。これにより、スイッチ９４はオン状態となる。スイッチ９４が右フロントカバー３４Ｒの閉状態を検知すると、図示しない制御装置によってインクヘッドユニット２０等が作動可能な状態となる。また、スイッチ９４は、移動プレート８４と非接触のときにオフ状態となり右フロントカバー３４Ｒの開状態を検知する。即ち、移動プレート８４が板ばね９４Ｃを押していないときには、ボタン９４Ｂはケース９４Ａから突出した状態となり、スイッチ９４はオフ状態となる。スイッチ９４が右フロントカバー３４Ｒの開状態を検知すると、図示しない制御装置によってインクヘッドユニット２０等の作動ができない状態となる。
【００３４】
図３および図４に示すように、右フロントカバー３４Ｒが開いているとき、第１押圧部３６と係合部６５とは係合していない。また、スイッチ９４は移動プレート８４と非接触であるためオフ状態となり、右フロントカバー３４Ｒの開状態を検知する。スイッチ９４が右フロントカバー３４Ｒの開状態を検知しているときは、インクヘッドユニット２０等は作動することができない。このとき、ラッチ本体６４は第１位置Ｌ１に位置し、移動プレート８４は第４位置Ｌ４に位置し、当接部材９０は第６位置Ｌ６に位置する。
【００３５】
図５および図６に示すように、右フロントカバー３４Ｒを右ロック機構５０Ｒに向けて移動させて第１押圧部３６によってラッチ本体６４をハウジング６２の奥に押し込む。これにより、係止レバー６８が凹部６４Ｃ（図３参照）に係止し、ラッチ本体６４が第３位置Ｌ３に位置する。このとき、第１アーム６５Ａおよび第２アーム６５Ｂが第１押圧部３６の第１部分３７Ａを挟持することによって、第１押圧部３６と係合部６５とが係合する。これにより、右フロントカバー３４Ｒがラッチ装置６０に固定される。また、右フロントカバー３４Ｒを右ロック機構５０Ｒに向けて移動させることによって、第２押圧部３８が当接部材９０に接触し、移動プレート８４が回動する。これにより、移動プレート８４が板ばね９４Ｃを介してボタン９４Ｂを押し、スイッチ９４はオン状態となる。この結果、スイッチ９４が右フロントカバー３４Ｒの閉状態を検知し、インクヘッドユニット２０等は作動可能な状態となる。このとき、ラッチ本体６４は第３位置Ｌ３に位置し、移動プレート８４は第５位置Ｌ５に位置し、当接部材９０は第６位置Ｌ６に位置する。
【００３６】
図７および図８に示すように、右フロントカバー３４Ｒ開くときには、右フロントカバー３４Ｒを右ロック機構５０Ｒに向けてさらに移動させて第１押圧部３６によってラッチ本体６４をハウジング６２の奥にさらに押し込む必要がある。ここで、第１押圧部３６を移動させるときには同時に第２押圧部３８も移動する。第２押圧部３８を移動させても、移動プレート８４は、ストッパ８６に移動を規制されるため、スイッチ９４には過剰な力が加わらない。また、第３弾性体９２が変形し、当接部材９０が後方に移動するため、第１押圧部３６をさらに移動させることができる。このとき、ラッチ本体６４は第２位置Ｌ２に位置し、移動プレート８４は第５位置Ｌ５に位置し、当接部材９０は第７位置Ｌ７に位置する。ラッチ本体６４をハウジング６２の奥にさらに押し込むことによって、係止レバー６８が凹部６４Ｃ（図３参照）に係止しなくなり、ラッチ本体６４が前方に移動可能となる。ラッチ本体６４は、第１弾性体６６によって第１位置Ｌ１に付勢される。このとき、第１アーム６５Ａおよび第２アーム６５Ｂが第１押圧部３６の第１部分３７Ａを挟持しなくなるため、第１押圧部３６と係合部６５との係合が解除される。これにより、右フロントカバー３４Ｒがラッチ装置６０から取り外される。また、右フロントカバー３４Ｒを右ロック機構５０Ｒから離れる方向に移動させることによって、第２押圧部３８から当接部材９０に加わる力が小さくなり、移動プレート８４は、第２弾性体８８によって第４位置Ｌ４に向けて移動する。この結果、移動プレート８４が板ばね９４Ｃから離れ、スイッチ９４はオフ状態となる。このため、スイッチ９４が右フロントカバー３４Ｒの開状態を検知し、インクヘッドユニット２０等は作動できない状態となる。
【００３７】
以上のように、右カバー開閉検知装置１００Ｒでは、当接部材９０および移動プレート８４は、第２押圧部３８からの力を受けて移動する。ここで、第５位置Ｌ５から第４位置Ｌ４に向かって移動プレート８４を付勢する第２弾性体８８は、第７位置Ｌ７から第６位置Ｌ６に向かって当接部材９０を付勢する第３弾性体９２より先に変形し始める。このため、第２押圧部３８からの力を受けて、先ず移動プレート８４が第４位置Ｌ４から第５位置Ｌ５に移動する。移動プレート８４が第５位置Ｌ５に移動すると、移動プレート８４はスイッチ９４と接触するため、スイッチ９４はオン状態となり右フロントカバー３４Ｒの閉状態を検知することができる。このとき、第１押圧部３６は係合部６５と係合するため、右フロントカバー３４Ｒはラッチ装置６０に固定されることになる。一方、右フロントカバー３４Ｒとラッチ装置６０との固定を解除するときには、第１押圧部３６によってラッチ本体６４を第３位置Ｌ３から第２位置Ｌ２まで移動させる必要がある。このとき、移動プレート８４には第２押圧部３８からの力が更に加わるが、移動プレート８４はストッパ８６によってその移動が規制されているため、移動プレート８４は移動しない。このため、スイッチ９４に過剰な力が加わることを防止することができる。さらに、移動プレート８４の代わりに、当接部材９０が第６位置Ｌ６から第７位置Ｌ７に向けて移動するため、ラッチ本体６４を第３位置Ｌ３から第２位置Ｌ２まで移動させることができ、第１押圧部３６と係合部６５との係合を解除することができる。即ち、右フロントカバー３４Ｒを開くことができる。このとき、移動プレート８４はスイッチ９４と非接触となるため、スイッチ９４はオフ状態となり右フロントカバー３４Ｒの開状態を検知することができる。
【００３８】
本実施形態の右カバー開閉検知装置１００Ｒによれば、図３に示すように、スイッチ装置８０は、移動プレート８４を回動可能に支持する支軸８３を備えている。これにより、移動プレート８４がスライド移動する場合に比べて、構造が簡単となると共に、スイッチ装置８０の構造がコンパクトになる。
【００３９】
本実施形態の右カバー開閉検知装置１００Ｒによれば、図４に示すように、スイッチ装置８０は、当接部材９０の裏面９０Ａから突出し、第３弾性体９２が取り付けられた軸９１と、移動プレート８４に形成され、軸９１の一部が挿入された挿入孔８４ＢＨとを備えている。これにより、第３弾性体９２を軸９１によってより確実に支持することができる。また、軸９１が挿入孔８４ＢＨ内を移動することができるため、当接部材９０の移動を妨げることがない。
【００４０】
本実施形態の右カバー開閉検知装置１００Ｒによれば、第１押圧部３６および第２押圧部３８は、水平方向に延びる。これにより、第１押圧部３６と係合部６５との係合や、第２押圧部３８によって移動プレート８４を移動させることがより確実となる。
【００４１】
本実施形態のカバー開閉検知装置によれば、図５に示すように、第１アーム６５Ａおよび第２アーム６５Ｂが第１押圧部３６を挟持することによって、第１押圧部３６と係合部６５とが係合する。これにより、第１押圧部３６と係合部６５との係合がより強固になる。
【００４２】
上述した実施形態では、ラッチ装置６０はスイッチ装置８０の左方に配置されていたが、これに限定されない。例えば、ラッチ装置６０は、スイッチ装置８０の右方に配置されていてもよい。
【００４３】
上述した実施形態では、第１押圧部３６と第２押圧部３８とが左右方向に並んで配置されていたが、これに限定されない。例えば、第１押圧部３６と第２押圧部３８とが上下方向に配置されていてもよい。
【００４４】
上述した実施形態では、インクヘッドユニット２０を備えたインクジェットプリンタ１０に右カバー開閉検知装置１００Ｒを用いていたが、これに限定されない。所定の筐体に取り付けられたカバーの開閉を検知する必要がある場合には、右カバー開閉検知装置１００Ｒを当然に用いることができる。
【符号の説明】
【００４５】
１０  インクジェットプリンタ
３４Ｒ  右フロントカバー
３６  第１押圧部
３８  第２押圧部
５０Ｒ  右ロック機構
６０  ラッチ装置
８０  スイッチ装置
８４  移動プレート
８６  ストッパ
８８  第２弾性体
９０  当接部材
９２  第３弾性体
９４  スイッチ
１００Ｒ  右カバー開閉検知装置
【図１】
2017094530.tif 000003
【図２】
2017094530.tif 000004
【図３】
2017094530.tif 000005
【図４】
2017094530.tif 000006
【図５】
2017094530.tif 000007
【図６】
2017094530.tif 000008
【図７】
2017094530.tif 000009
【図８】
2017094530.tif 000010